(57)【特許請求の範囲】
【請求項１】
端末装置から送信されるファクシミリ信号及び音声信号をＩＰパケットに変換して前記ＩＰパケットをＩＰネットワークに送信し、前記ＩＰネットワークから受信したＩＰパケットをファクシミリ信号又は音声信号に変換して端末装置に送信する通信装置であって、
ファクシミリ信号・ＩＰパケット間変換処理及び音声信号・ＩＰパケット間変換処理を行う通信処理手段と、
前記端末装置において送受信されている信号がファクシミリ信号であるか音声信号であるかを判定するＦＡＸ音声判定手段と、
前記端末装置で送受信されている信号がファクシミリ信号である場合に、前記ファクシミリ信号が無音を表している状態で所定の無音検出判定時間が経過したことを検出する無音検出手段と、
前記ファクシミリ信号がＧ３モードであるかスーパーＧ３モードであるかを判定するＦＡＸ信号判定手段と、を有し、
前記無音検出手段は、前記ＦＡＸ信号判定手段の判定結果により、前記無音検出判定時間の値を異ならせ、
前記ＦＡＸ音声判定手段は、前記無音検出手段により前記ファクシミリ信号が無音を表している状態で当該異ならせた値の前記無音検出判定時間が経過したことが検出された場合に、前記端末装置で送受信されている信号が音声信号であると判定し、
前記通信処理手段は、前記ＦＡＸ音声判定手段の判定結果に応じて、ファクシミリ信号・ＩＰパケット間変換処理及び音声信号・ＩＰパケット間変換処理のいずれか一方の変換処理を行うことを特徴とする通信装置。
【請求項２】
前記ＦＡＸ信号判定手段は、前記端末装置においてファクシミリ信号の送受信が開始されてから前記ファクシミリ信号が無音を表している状態が検出されるまでの時間が所定の閾値よりも小さい場合に、前記端末装置で送受信されているファクシミリ信号がＧ３モードであると判定することを特徴とする請求項１記載の通信装置。
【請求項３】
前記通信装置は、前記端末装置で送受信されている信号にファクシミリ信号以外の信号が含まれているか否かを検出する信号成分検出手段を有し、
前記ＦＡＸ音声判定手段は、前記信号成分検出手段により前記端末装置で送受信されている信号にファクシミリ信号以外の信号が含まれていることが検出された場合に、前記端末装置で送受信されている信号が音声信号であると判定することを特徴とする請求項１記載の通信装置。
【発明の詳細な説明】
【技術分野】
【０００１】
本発明は、端末装置から送信されるファクシミリ信号及び音声信号をＩＰパケットに変換してＩＰネットワークに送信すると共に、ＩＰネットワークからＩＰパケットを受信して、受信したＩＰパケットをファクシミリ信号又は音声信号に変換して端末装置に送信する通信装置に関する。
【背景技術】
【０００２】
インターネット等のＩＰネットワークを介して、ファクシミリ通信を行う場合には、ファクシミリ信号をＩＰパケットに変換して、ＩＰネットワークに送信する技術が用いられる。この技術を用いてファクシミリ通信を行う場合は、ファクシミリ信号の送受信を行う端末装置とＩＰネットワークの間に、ファクシミリ信号とＩＰパケットの間の変換処理を行う通信装置を接続する。この通信装置は、端末装置から送信されるファクシミリ信号をＩＰパケットに変換してＩＰネットワークに送信する。また、ＩＰネットワークからＩＰパケットを受信して、受信したＩＰパケットをファクシミリ信号に変換して端末装置に送信する（例えば、特許文献１参照）。
【０００３】
ファクシミリ通信としては、ＩＴＵ−Ｔ勧告のＴ．３０及びＴ．３８の伝送手順によるによるＧ３モード及びスーパーＧ３モードが用いられる。Ｇ３モードでは、ファクシミリ通信の開始時に、送信側の端末装置はＣＮＧ信号を送信して、受信側の端末装置はＣＥＤ信号を送信する。スーパーＧ３モードでは、ファクシミリ通信の開始時に、送信側の端末装置はＣＮＧ信号を送信して、受信側の端末装置はＡＮＳａｍ信号を送信する。通信装置は、受信側の端末装置が送信する信号がＣＥＤ信号であるかＡＮＳａｍ信号であるかにより、端末装置で行われているファクシミリ通信がＧ３モード又はスーパーＧ３モードのどちらであるかの判断を行うことが出来る。また、回線プロービングを行い、回線のＳ／Ｎ比と帯域に基づいて、Ｇ３モード又はスーパーＧ３モードの切り替えを行う装置もある（例えば、特許文献２参照）。
【０００４】
また、端末装置には、ファクシミリ通信だけではなく音声通信も行えるものもある。このような端末装置に接続する通信装置は、ファクシミリ信号とＩＰパケットの間の変換処理の他に音声信号とＩＰパケットの間の変換処理も行う。このような通信装置では、ＦＡＸ開始信号（ＣＮＧ、ＣＥＤ、ＡＮＳａｍ等）や呼切断の検出により、端末装置で行われている通信がファクシミリ通信であるか音声通信であるかの判定を行っている。ＦＡＸ開始信号が検出された場合は、音声通信からファクシミリ通信に切り替わったと判定する。呼切断が検出された場合は、ファクシミリ通信が終了したと判定している。また、特許文献１に記載の装置では、パケットの受信の終了により、ファクシミリ通信が終了したと判定している。
【特許文献１】特開２００３−８８２０号公報
【特許文献２】特開２０００−７８３８４号公報
【発明の開示】
【発明が解決しようとする課題】
【０００５】
上記した如き通信装置においては、呼切断の検出により、ファクシミリ通信が終了したと判定している。また、特許文献１に記載の装置では、パケットの受信の終了により、ファクシミリ通信が終了したと判定している。
【０００６】
ファクシミリ通信及び音声通信を行う端末装置では、ファクシミリ通信の終了後に通話状態を維持したまま、音声通信に切り替えることがある。この場合、ファクシミリ通信の終了後に、呼切断が行われない状態で、音声通信が開始される。それ故、呼切断の検出によりファクシミリ通信の終了を判定している通信装置では、ファクシミリ通信の終了を判定することが出来ない。また、ファクシミリ通信の終了後に音声通信が行われるため、ファクシミリ通信の終了後にもパケットの受信が継続する。それ故、パケットの受信の終了によりファクシミリ通信の終了を判定している通信装置でも、ファクシミリ通信の終了を判定することが出来ない。
【０００７】
通信装置では、音声信号とＩＰパケットの間の変換処理を行う場合は、ゆらぎ吸収やエコーキャンセラなどの動作を行うことにより、音声の品質を向上させている。ファクシミリ信号とＩＰパケットの間の変換処理を行う場合は、ゆらぎ吸収やエコーキャンセラなどの動作を行わない。それ故、ファクシミリ通信の終了を判定することが出来ない場合は、音声通信に切り替わっても、ゆらぎ吸収やエコーキャンセラなどの動作が行われない状態となり、音声の品質が劣化してしまう。
【０００８】
本発明は上記した点に鑑みてなされたものであり、端末装置において、ファクシミリ通信の終了後に通話状態を維持した状態で音声通信に切り替わった場合でも、ファクシミリ通信が終了したことを判定することが出来る通信装置を提供することを目的とする。
【課題を解決するための手段】
【０００９】
本発明による通信装置は、端末装置から送信されるファクシミリ信号及び音声信号をＩＰパケットに変換して前記ＩＰパケットをＩＰネットワークに送信し、前記ＩＰネットワークから受信したＩＰパケットをファクシミリ信号又は音声信号に変換して端末装置に送信する通信装置であって、ファクシミリ信号・ＩＰパケット間変換処理及び音声信号・ＩＰパケット間変換処理を行う通信処理手段と、前記端末装置において送受信されている信号がファクシミリ信号であるか音声信号であるかを判定するＦＡＸ音声判定手段と、前記端末装置で送受信されている信号がファクシミリ信号である場合に、前記ファクシミリ信号が無音を表している状態で所定の無音検出判定時間が経過したことを検出する無音検出手段と、前記ファクシミリ信号がＧ３モードであるかスーパーＧ３モードであるかを判定するＦＡＸ信号判定手段と、を有し、前記無音検出手段は、前記ＦＡＸ信号判定手段の判定結果により、前記無音検出判定時間の値を異ならせ、前記ＦＡＸ音声判定手段は、前記無音検出手段により前記ファクシミリ信号が無音を表している状態で当該異ならせた値の前記無音検出判定時間が経過したことが検出された場合に、前記端末装置で送受信されている信号が音声信号であると判定し、前記通信処理手段は、前記ＦＡＸ音声判定手段の判定結果に応じて、ファクシミリ信号・ＩＰパケット間変換処理及び音声信号・ＩＰパケット間変換処理のいずれか一方の変換処理を行うことを特徴とする。
【発明を実施するための最良の形態】
【００１０】
以下、本発明の実施例について図面を参照しつつ詳細に説明する。
【００１１】
図１は、本発明に係る通信装置の第１の実施例を用いた通信システムの構成を示している。ＦＡＸ電話機２ａ及び２ｂは、ファクシミリ通信及び音声通信を行うものである。通信装置１ａ及び１ｂは、ファクシミリ信号・ＩＰパケット間変換処理、及び、音声信号・ＩＰパケット間変換処理を行うものである。ファクシミリ信号・ＩＰパケット間変換処理は、ファクシミリ信号からＩＰパケットへの変換、及び、ＩＰパケットからファクシミリ信号への変換を行う処理のことである。音声信号・ＩＰパケット間変換処理は、音声信号からＩＰパケットへの変換、及び、ＩＰパケットから音声信号への変換を行う処理のことである。通信装置１ａは、ＩＰネットワーク３からＩＰパケットを受信して、受信したＩＰパケットをファクシミリ信号及び音声信号に変換してＦＡＸ電話機２ａに送信する。また、通信装置１ａは、ＦＡＸ電話機２ａから送信されるファクシミリ信号及び音声信号を、ＩＰパケットに変換してＩＰネットワーク３に送信する。通信装置１ｂは、ＩＰネットワーク３からＩＰパケットを受信して、受信したＩＰパケットをファクシミリ信号及び音声信号に変換してＦＡＸ電話機２ｂに送信する。また、通信装置１ｂは、ＦＡＸ電話機２ｂから送信されるファクシミリ信号及び音声信号を、ＩＰパケットに変換してＩＰネットワーク３に送信する。
【００１２】
図２に、ファクシミリ信号・ＩＰパケット間変換処理、及び、音声信号・ＩＰパケット間変換処理を行う通信装置１ａの構成を示す。ＴＥＬ／ＦＡＸインターフェース部４は、通信装置１ａをＦＡＸ電話機２ａに接続するためのアナログインターフェース、例えば、ＳＬＩＣ等である。Ａ／Ｄ・Ｄ／Ａ変換部５は、ＴＥＬ／ＦＡＸインターフェース部４から受信したファクシミリ信号及び音声信号をディジタル信号に変換して、音声／ＦＡＸ通信処理部６に送信する。また、Ａ／Ｄ・Ｄ／Ａ変換部５は、音声／ＦＡＸ通信処理部６から受信したディジタル信号をファクシミリ信号及び音声信号に変換してＴＥＬ／ＦＡＸインターフェース部４に送信する。音声／ＦＡＸ通信処理部６は、Ａ／Ｄ・Ｄ／Ａ変換部５から受信したディジタル信号をＩＰパケットに変換して、ネットワークインターフェース部７に送信する。また、音声／ＦＡＸ通信処理部６は、ネットワークインターフェース部７から受信したＩＰパケットをディジタル信号に変換して、Ａ／Ｄ・Ｄ／Ａ変換部５に送信する。ネットワークインターフェース部７は、通信装置１ａをＩＰネットワーク３に接続するためのインターフェース、例えば、ＷＡＮポート等である。尚、図示しないが通信装置１ｂも通信装置１ａと同様の構成である。
【００１３】
図３に、音声／ＦＡＸ通信処理部６の構成を示す。音声／ＦＡＸ通信処理部６は、ディジタル信号とＩＰパケットの間の変換を行うものである。信号処理部６１は、ディジタル信号に変換されたファクシミリ信号及び音声信号に対するディジタル信号処理を行う。エコーキャンセラ部６２は、音声信号のエコーを除去する。パケット処理部６３は、エコーキャンセラ部６２により処理されたディジタル信号にＩＰヘッダを付加してＩＰパケットを組み立てる。また、パケット処理部６３は、ゆらぎ吸収部６４から受信したＩＰパケットを分解して、ディジタル信号に変換する。ゆらぎ吸収部６４は、音声のゆらぎ（ジッタ）を解消するために、ＩＰパケットを一旦バッファ（ジッタバッファ）に蓄積して、一定の間隔で送信する。ＦＡＸ／無音検出部６５は、ファクシミリ信号の送信開始を知らせるＣＮＧ信号や、ファクシミリ信号の受信を許可するＣＥＤ信号及びＡＮＳａｍ信号等を検出して、ＦＡＸ／音声判定部６６に通知する。また、ＦＡＸ／無音検出部６５は、ファクシミリ信号が送受信されている場合に、信号が無音を表している状態、すなわち、無音状態で所定の無音検出判定時間が経過したことを検出して、ＦＡＸ／音声判定部６６に通知する。ＦＡＸ／音声判定部６６は、ＦＡＸ／無音検出部６５からの通知に基づいて、ＦＡＸ電話機２ａで送受信されている信号がファクシミリ信号であるか音声信号であるか、すなわち、ＦＡＸ電話機２ａで行われている通信がファクシミリ通信であるか音声通信であるかを判定する。制御部６７は、ＦＡＸ／音声判定部６６の判定結果に基づいて、信号処理部６１、エコーキャンセラ部６２及びゆらぎ吸収部６４に対する制御を行う。
【００１４】
図４に、ＦＡＸ電話機２ａでファクシミリ通信が行われ、ファクシミリ通信の終了後に、通話状態のまま、音声通信が開始される場合の通信装置１ａの動作を示す。
【００１５】
まず、ＦＡＸ電話機２ａから呼を接続するための信号、例えば、発呼信号、ダイヤル信号又は呼出音等が送信されて、呼の接続が行われる（ステップＳ４０１）。呼の接続が行われると、信号処理部６１、エコーキャンセラ部６２、パケット処理部６３及びゆらぎ吸収部６４は、音声信号・ＩＰパケット間変換処理の動作を開始する。信号処理部６１は、音声信号・ＩＰパケット間変換処理の動作を行う場合は、音声信号の送受信に最適となるようにレベルダイヤの設定等を行う。エコーキャンセラ部６２は、音声信号・ＩＰパケット間変換処理の動作を行う場合は、エコーの除去を行う。ゆらぎ吸収部６４は、音声信号・ＩＰパケット間変換処理を行う場合は、ＩＰパケットの蓄積及び一定間隔での送信を行う。
【００１６】
一方、ＦＡＸ／無音検出部６５は、呼の接続を検出すると（ステップＳ４０２）、呼の接続を検出したことを、ＦＡＸ／音声判定部６６に通知する（ステップＳ４０３）。ＦＡＸ／音声判定部６６は、呼の接続を検出したことの通知を受信すると、ＦＡＸ電話機２ａで送受信されている信号が音声信号であると判定する（ステップＳ４０４）。
【００１７】
呼が接続された後で、ＦＡＸ電話機２ａでファクシミリ通信が開始されて、ＦＡＸ開始信号が送信されたとする（ステップＳ４０５）。ＦＡＸ開始信号としては、ファクシミリの送信を行う場合は、ＣＮＧ信号（１１００Ｈｚ）が、ファクシミリの受信を行う場合は、ＣＥＤ信号又はＡＮＳａｍ信号（２１００Ｈｚ）が送信される。ＦＡＸ／無音検出部６５は、ＦＡＸ開始信号を検出すると、ＦＡＸ開始信号を検出したことを、ＦＡＸ／音声判定部６６に通知する（ステップＳ４０６）。ＦＡＸ／音声判定部６６は、ＦＡＸ開始信号を検出したことの通知を受信すると、ＦＡＸ電話機２ａで送受信されている信号がファクシミリ信号であると判定して、判定結果を制御部６７に通知する（ステップＳ４０７）。
【００１８】
制御部６７は、ＦＡＸ電話機２ａで送受信されている信号がファクシミリ信号であるとの判定結果を受信すると、信号処理部６１、エコーキャンセラ部６２及びゆらぎ吸収部６４に、ファクシミリ信号・ＩＰパケット間変換処理を行うようにＦＡＸ処理指示を送信する（ステップＳ４０８〜Ｓ４１０）。信号処理部６１は、ＦＡＸ処理指示を受信すると、ファクシミリ信号の送受信に最適となるようにレベルダイヤの設定等を行う。エコーキャンセラ部６２は、ＦＡＸ処理指示を受信すると、ファクシミリ信号がスーパーＧ３モードである場合は、エコーの除去を行う動作を停止する。ゆらぎ吸収部６４は、ＦＡＸ処理指示を受信すると、ＩＰパケットの蓄積及び一定間隔での送信を行う動作を停止する。
【００１９】
ＦＡＸ電話機２ａは、ＦＡＸ開始信号を送信した後で、ファクシミリ信号の送受信を行う（ステップＳ４１１）。ＦＡＸ／無音検出部６５は、ファクシミリ信号の送受信が行われると、無音状態の監視を行う。無音状態で所定の無音検出判定時間が経過しない場合、ＦＡＸ／無音検出部６５は、ファクシミリ信号の送受信が行われていることの通知をＦＡＸ／音声判定部６６に送信する（ステップＳ４１２）。ＦＡＸ／音声判定部６６は、ファクシミリ信号の送受信が行われていることの通知を受信すると、そのまま待機する。
【００２０】
ここで、ＦＡＸ電話機２ａで行われていたファクシミリ通信が終了して、無音状態になったとする。無音状態で所定の無音検出判定時間が経過した場合、ＦＡＸ／無音検出部６５は、無音状態で所定の無音検出判定時間が経過したことの通知をＦＡＸ／音声判定部６６に送信する（ステップＳ４１３）。ＦＡＸ／音声判定部６６は、無音状態で所定の無音検出判定時間が経過したことの通知を受信すると、ＦＡＸ電話機２ａで送受信されている信号が音声信号であると判定して、判定結果を制御部６７に通知する（ステップＳ４１４）。
【００２１】
制御部６７は、ＦＡＸ電話機２ａで送受信されている信号が音声信号であるとの判定結果を受信すると、信号処理部６１、エコーキャンセラ部６２及びゆらぎ吸収部６４に、音声信号・ＩＰパケット間変換処理を行うように音声処理指示を送信する（ステップＳ４１５〜Ｓ４１７）。信号処理部６１は、音声処理指示を受信すると、音声信号の送受信に最適となるようにレベルダイヤの設定等を行う。エコーキャンセラ部６２は、音声処理指示を受信すると、エコーの除去を行う動作を開始する。ゆらぎ吸収部６４は、音声処理指示を受信すると、ＩＰパケットの蓄積及び一定間隔での送信を行う動作を開始する。これ以降、新たなＦＡＸ開始信号が検出されるまで、又は、呼の切断が行われるまで、音声信号・ＩＰパケット間変換処理が行われる。
【００２２】
その後、ＦＡＸ電話機２ａでは、音声信号の送受信が行われる（ステップＳ４１８）。音声信号の送受信が終了すると、呼の切断が行われる（ステップＳ４１９）。
【００２３】
尚、無音検出判定時間は、ＩＴＵ−Ｔ勧告Ｔ．３０で規定されているページ間の再送時間（４．５秒±１５％）よりも長い値に設定する。
【００２４】
このように、第１の実施例の通信装置によれば、ファクシミリ通信から音声通信に切り替わる際の一定時間の無音状態を検出することにより、ファクシミリ通信が終了して音声通信に切り替わったと判定している。それ故、ファクシミリ通信の終了後に通話状態を維持したまま音声通信に切り替わった場合でも、ファクシミリ通信が終了したことを判定することが出来る。ファクシミリ通信の終了を正しく判定することが出来るため、ファクシミリ通信の終了後に通話状態を維持したまま音声通信に切り替わった場合でも、ゆらぎ吸収やエコーキャンセラなどの動作を開始することが出来るため、音声の品質を劣化させることなく音声通信をおこなうことが出来る。
【００２５】
次に、本発明の第２の実施例について説明する。
【００２６】
図５は、本発明に係る通信装置の第２の実施例を用いた通信システムの構成を示している。ＦＡＸ電話機２ａ及び２ｂは、ファクシミリ通信及び音声通信を行うものである。通信装置１ａ及び１ｂは、ファクシミリ信号・ＩＰパケット間変換処理、及び、音声信号・ＩＰパケット間変換処理を行うものである。ファクシミリ信号・ＩＰパケット間変換処理は、ファクシミリ信号からＩＰパケットへの変換、及び、ＩＰパケットからファクシミリ信号への変換を行う処理のことである。音声信号・ＩＰパケット間変換処理は、音声信号からＩＰパケットへの変換、及び、ＩＰパケットから音声信号への変換を行う処理のことである。通信装置１ａは、ＩＰネットワーク３からＩＰパケットを受信して、受信したＩＰパケットをファクシミリ信号及び音声信号に変換してＦＡＸ電話機２ａに送信する。また、通信装置１ａは、ＦＡＸ電話機２ａから送信されるファクシミリ信号及び音声信号を、ＩＰパケットに変換してＩＰネットワーク３に送信する。通信装置１ｂは、ＩＰネットワーク３からＩＰパケットを受信して、受信したＩＰパケットをファクシミリ信号及び音声信号に変換してＦＡＸ電話機２ｂに送信する。また、通信装置１ｂは、ＦＡＸ電話機２ｂから送信されるファクシミリ信号及び音声信号を、ＩＰパケットに変換してＩＰネットワーク３に送信する。
【００２７】
図６に、ファクシミリ信号・ＩＰパケット間変換処理、及び、音声信号・ＩＰパケット間変換処理を行う通信装置１ａの構成を示す。ＴＥＬ／ＦＡＸインターフェース部４は、通信装置１ａをＦＡＸ電話機２ａに接続するためのアナログインターフェース、例えば、ＳＬＩＣ等である。Ａ／Ｄ・Ｄ／Ａ変換部５は、ＴＥＬ／ＦＡＸインターフェース部４から受信したファクシミリ信号及び音声信号をディジタル信号に変換して、音声／ＦＡＸ通信処理部６に送信する。また、Ａ／Ｄ・Ｄ／Ａ変換部５は、音声／ＦＡＸ通信処理部６から受信したディジタル信号をファクシミリ信号及び音声信号に変換してＴＥＬ／ＦＡＸインターフェース部４に送信する。音声／ＦＡＸ通信処理部６は、Ａ／Ｄ・Ｄ／Ａ変換部５から受信したディジタル信号をＩＰパケットに変換して、ネットワークインターフェース部７に送信する。また、音声／ＦＡＸ通信処理部６は、ネットワークインターフェース部７から受信したＩＰパケットをディジタル信号に変換して、Ａ／Ｄ・Ｄ／Ａ変換部５に送信する。ネットワークインターフェース部７は、通信装置１ａをＩＰネットワーク３に接続するためのインターフェース、例えば、ＷＡＮポート等である。尚、図示しないが通信装置１ｂも通信装置１ａと同様の構成である。
【００２８】
図７に、音声／ＦＡＸ通信処理部６の構成を示す。音声／ＦＡＸ通信処理部６は、ディジタル信号とＩＰパケットの間の変換を行うものである。信号処理部６１は、ディジタル信号に変換されたファクシミリ信号及び音声信号に対するディジタル信号処理を行う。エコーキャンセラ部６２は、音声信号のエコーを除去する。パケット処理部６３は、エコーキャンセラ部６２により処理されたディジタル信号にＩＰヘッダを付加してＩＰパケットを組み立てる。また、パケット処理部６３は、ゆらぎ吸収部６４から受信したＩＰパケットを分解して、ディジタル信号に変換する。ゆらぎ吸収部６４は、音声のゆらぎ（ジッタ）を解消するために、ＩＰパケットを一旦バッファ（ジッタバッファ）に蓄積して、一定の間隔で送信する。信号成分検出部６８は、ファクシミリ信号の送信開始を知らせるＣＮＧ信号や、ファクシミリ信号の受信を許可するＣＥＤ信号及びＡＮＳａｍ信号等を検出して、ＦＡＸ／音声判定部６６に通知する。また、信号成分検出部６８は、ＦＡＸ電話機２ａで送受信されている信号の成分を検出する。そして、信号成分検出部６８は、検出した成分がファクシミリ信号であるか否かを、ＦＡＸ／音声判定部６６に通知する。ＦＡＸ／音声判定部６６は、信号成分検出部６８からの通知に基づいて、ＦＡＸ電話機２ａで送受信されている信号がファクシミリ信号であるか音声信号であるか、すなわち、ＦＡＸ電話機２ａで行われている通信がファクシミリ通信であるか音声通信であるかを判定する。制御部６７は、ＦＡＸ／音声判定部６６の判定結果に基づいて、信号処理部６１、エコーキャンセラ部６２及びゆらぎ吸収部６４に対する制御を行う。
【００２９】
図８に、ＦＡＸ電話機２ａでファクシミリ通信が行われ、ファクシミリ通信の終了後に、通話状態のまま、音声通信が開始される場合の通信装置１ａの動作を示す。
【００３０】
まず、ＦＡＸ電話機２ａから呼を接続するための信号、例えば、発呼信号、ダイヤル信号又は呼出音等が送信されて、呼の接続が行われる（ステップＳ８０１）。呼の接続が行われると、信号処理部６１、エコーキャンセラ部６２、パケット処理部６３及びゆらぎ吸収部６４は、音声信号・ＩＰパケット間変換処理の動作を開始する。信号処理部６１は、音声信号・ＩＰパケット間変換処理の動作を行う場合は、音声信号の送受信に最適となるようにレベルダイヤの設定等を行う。エコーキャンセラ部６２は、音声信号・ＩＰパケット間変換処理の動作を行う場合は、エコーの除去を行う。ゆらぎ吸収部６４は、音声信号・ＩＰパケット間変換処理を行う場合は、ＩＰパケットの蓄積及び一定間隔での送信を行う。
【００３１】
一方、信号成分検出部６８は、呼の接続を検出すると（ステップＳ８０２）、呼の接続を検出したことを、ＦＡＸ／音声判定部６６に通知する（ステップＳ８０３）。ＦＡＸ／音声判定部６６は、呼の接続を検出したことの通知を受信すると、ＦＡＸ電話機２ａで送受信されている信号が音声信号であると判定する（ステップＳ８０４）。
【００３２】
呼が接続された後で、ＦＡＸ電話機２ａでファクシミリ通信が開始されて、ＦＡＸ開始信号が送信されたとする（ステップＳ８０５）。ＦＡＸ開始信号としては、ファクシミリの送信を行う場合は、ＣＮＧ信号（１１００Ｈｚ）が、ファクシミリの受信を行う場合は、ＣＥＤ信号又はＡＮＳａｍ信号（２１００Ｈｚ）が送信される。信号成分検出部６８は、ＦＡＸ開始信号を検出すると、ＦＡＸ開始信号を検出したことを、ＦＡＸ／音声判定部６６に通知する（ステップＳ８０６）。ＦＡＸ／音声判定部６６は、ＦＡＸ開始信号を検出したことの通知を受信すると、ＦＡＸ電話機２ａで送受信されている信号がファクシミリ信号であると判定して、判定結果を制御部６７に通知する（ステップＳ８０７）。
【００３３】
制御部６７は、ＦＡＸ電話機２ａで送受信されている信号がファクシミリ信号であるとの判定結果を受信すると、信号処理部６１、エコーキャンセラ部６２及びゆらぎ吸収部６４に、ファクシミリ信号・ＩＰパケット間変換処理を行うようにＦＡＸ処理指示を送信する（ステップＳ８０８〜Ｓ８１０）。信号処理部６１は、ＦＡＸ処理指示を受信すると、ファクシミリ信号の送受信に最適となるようにレベルダイヤの設定等を行う。エコーキャンセラ部６２は、ＦＡＸ処理指示を受信すると、ファクシミリ信号がスーパーＧ３モードである場合は、エコーの除去を行う動作を停止する。ゆらぎ吸収部６４は、ＦＡＸ処理指示を受信すると、ＩＰパケットの蓄積及び一定間隔での送信を行う動作を停止する。
【００３４】
ＦＡＸ電話機２ａは、ＦＡＸ開始信号を送信した後で、ファクシミリ信号の送受信を行う（ステップＳ８１１）。信号成分検出部６８は、ＦＡＸ電話機２ａで送受信されている信号の成分を検出する。信号の成分の検出は、ファクシミリ通信を開始するときのＣＮＧ信号、ＣＥＤ信号及びＡＮＳａｍ信号等の制御信号や、送受信されているデータを特定して検出してもよいし、ファクシミリ信号を構成する信号の成分（一定の周波数パターン）を検出してもよい。検出された信号の成分がファクシミリ信号である場合、信号成分検出部６８は、ファクシミリ信号の送受信が行われていることの通知をＦＡＸ／音声判定部６６に送信する（ステップＳ８１２）。ＦＡＸ／音声判定部６６は、ファクシミリ信号の送受信が行われていることの通知を受信すると、そのまま待機する。
【００３５】
ここで、ＦＡＸ電話機２ａで行われていたファクシミリ通信が終了して、音声通信が開始されたとする（ステップＳ８１３）。信号成分検出部６８は、ＦＡＸ電話機２ａで送受信されている信号において、ファクシミリ信号以外の信号を検出すると、ファクシミリ信号以外の信号を検出したことの通知をＦＡＸ／音声判定部６６に送信する（ステップＳ８１４）。ＦＡＸ／音声判定部６６は、ファクシミリ信号以外の信号を検出したことの通知を受信すると、ＦＡＸ電話機２ａで送受信されている信号が音声信号であると判定して、判定結果を制御部６７に通知する（ステップＳ８１５）。
【００３６】
制御部６７は、ＦＡＸ電話機２ａで送受信されている信号が音声信号であるとの判定結果を受信すると、信号処理部６１、エコーキャンセラ部６２及びゆらぎ吸収部６４に、音声信号・ＩＰパケット間変換処理を行うように音声処理指示を送信する（ステップＳ８１６〜Ｓ８１８）。信号処理部６１は、音声処理指示を受信すると、音声信号の送受信に最適となるようにレベルダイヤの設定等を行う。エコーキャンセラ部６２は、音声処理指示を受信すると、エコーの除去を行う動作を開始する。ゆらぎ吸収部６４は、音声処理指示を受信すると、ＩＰパケットの蓄積及び一定間隔での送信を行う動作を開始する。これ以降、新たなＦＡＸ開始信号が検出されるまで、又は、呼の切断が行われるまで、音声信号・ＩＰパケット間変換処理が行われる。
【００３７】
ＦＡＸ電話機２ａは、音声信号の送受信が終了すると、呼の切断を行う（ステップＳ８１９）。
【００３８】
このように、第２の実施例の通信装置によれば、ファクシミリ通信から音声通信に切り替わる際に、ファクシミリ信号以外の信号を検出することにより、ファクシミリ通信が終了して音声通信に切り替わったと判定している。それ故、ファクシミリ通信の終了後に通話状態を維持したまま音声通信に切り替わった場合でも、ファクシミリ通信が終了したことを判定することが出来る。ファクシミリ通信の終了を正しく判定することが出来るため、ファクシミリ通信の終了後に通話状態を維持したまま音声通信に切り替わった場合でも、ゆらぎ吸収やエコーキャンセラなどの動作を開始することが出来るため、音声の品質を劣化させることなく音声通信をおこなうことが出来る。
【００３９】
次に、本発明の第３の実施例について説明する。
【００４０】
図９は、本発明に係る通信装置の第３の実施例を用いた通信システムの構成を示している。ＦＡＸ電話機２ａ及び２ｂは、ファクシミリ通信及び音声通信を行うものである。通信装置１ａ及び１ｂは、ファクシミリ信号・ＩＰパケット間変換処理、及び、音声信号・ＩＰパケット間変換処理を行うものである。ファクシミリ信号・ＩＰパケット間変換処理は、ファクシミリ信号からＩＰパケットへの変換、及び、ＩＰパケットからファクシミリ信号への変換を行う処理のことである。音声信号・ＩＰパケット間変換処理は、音声信号からＩＰパケットへの変換、及び、ＩＰパケットから音声信号への変換を行う処理のことである。通信装置１ａは、ＩＰネットワーク３からＩＰパケットを受信して、受信したＩＰパケットをファクシミリ信号及び音声信号に変換してＦＡＸ電話機２ａに送信する。また、通信装置１ａは、ＦＡＸ電話機２ａから送信されるファクシミリ信号及び音声信号を、ＩＰパケットに変換してＩＰネットワーク３に送信する。通信装置１ｂは、ＩＰネットワーク３からＩＰパケットを受信して、受信したＩＰパケットをファクシミリ信号及び音声信号に変換してＦＡＸ電話機２ｂに送信する。また、通信装置１ｂは、ＦＡＸ電話機２ｂから送信されるファクシミリ信号及び音声信号を、ＩＰパケットに変換してＩＰネットワーク３に送信する。
【００４１】
図１０に、ファクシミリ信号・ＩＰパケット間変換処理、及び、音声信号・ＩＰパケット間変換処理を行う通信装置１ａの構成を示す。ＴＥＬ／ＦＡＸインターフェース部４は、通信装置１ａをＦＡＸ電話機２ａに接続するためのアナログインターフェース、例えば、ＳＬＩＣ等である。Ａ／Ｄ・Ｄ／Ａ変換部５は、ＴＥＬ／ＦＡＸインターフェース部４から受信したファクシミリ信号及び音声信号をディジタル信号に変換して、音声／ＦＡＸ通信処理部６に送信する。また、Ａ／Ｄ・Ｄ／Ａ変換部５は、音声／ＦＡＸ通信処理部６から受信したディジタル信号をファクシミリ信号及び音声信号に変換してＴＥＬ／ＦＡＸインターフェース部４に送信する。音声／ＦＡＸ通信処理部６は、Ａ／Ｄ・Ｄ／Ａ変換部５から受信したディジタル信号をＩＰパケットに変換して、ネットワークインターフェース部７に送信する。また、音声／ＦＡＸ通信処理部６は、ネットワークインターフェース部７から受信したＩＰパケットをディジタル信号に変換して、Ａ／Ｄ・Ｄ／Ａ変換部５に送信する。ネットワークインターフェース部７は、通信装置１ａをＩＰネットワーク３に接続するためのインターフェース、例えば、ＷＡＮポート等である。尚、図示しないが通信装置１ｂも通信装置１ａと同様の構成である。
【００４２】
図１１に、音声／ＦＡＸ通信処理部６の構成を示す。音声／ＦＡＸ通信処理部６は、ディジタル信号とＩＰパケットの間の変換を行うものである。信号処理部６１は、ディジタル信号に変換されたファクシミリ信号及び音声信号に対するディジタル信号処理を行う。エコーキャンセラ部６２は、音声信号のエコーを除去する。パケット処理部６３は、エコーキャンセラ部６２により処理されたディジタル信号にＩＰヘッダを付加してＩＰパケットを組み立てる。また、パケット処理部６３は、ゆらぎ吸収部６４から受信したＩＰパケットを分解して、ディジタル信号に変換する。ゆらぎ吸収部６４は、音声のゆらぎ（ジッタ）を解消するために、ＩＰパケットを一旦バッファ（ジッタバッファ）に蓄積して、一定の間隔で送信する。ＦＡＸ／音声判定部６６は、ＦＡＸ電話機２ａで送受信されている信号がファクシミリ信号であるか音声信号であるか、すなわち、ＦＡＸ電話機２ａで行われている通信がファクシミリ通信であるか音声通信であるかを判定する。制御部６７は、ＦＡＸ／音声判定部６６の判定結果に基づいて、信号処理部６１、エコーキャンセラ部６２及びゆらぎ吸収部６４に対する制御を行う。
【００４３】
ＦＡＸ／無音検出部８１は、ファクシミリ信号の受信を許可するＣＥＤ信号及びＡＮＳａｍ信号を検出する。また、ＦＡＸ／無音検出部８１は、ファクシミリ信号が送受信されている場合に、信号が無音を表している状態、すなわち、無音状態で所定の無音検出判定時間が経過したことを検出する。無音検出判定時間の値は、ファクシミリ通信がＧ３モードで行われるかスーパーＧ３モードで行われるかにより異なる。ファクシミリ通信がＧ３モードである場合は、ＩＴＵ−Ｔ勧告Ｔ．３０で規定されているページ間の再送時間（４．５秒±１５％）よりも長い値を無音検出判定時間の値として設定する。ファクシミリ通信がスーパーＧ３モードである場合は、通信中の瞬断を無音状態と誤判定しない時間（数百ミリ秒以上）の値を無音検出判定時間の値として設定する。タイマ８２は、ＦＡＸ／無音検出部８１がＡＮＳａｍ信号を検出した時刻、及び、無音状態でスーパーＧ３モードに対応する無音検出判定時間を経過したことを検出した時刻を記録する。そして、記録した時刻の差分を算出する。ＦＡＸ信号判定部８３は、タイマ８２が算出した差分の値に基づいて、ファクシミリ通信がＧ３モードであるかスーパーＧ３モードであるかの判定を行う。
【００４４】
図１２に、ＦＡＸ電話機２ａでＧ３モードでのファクシミリ通信が行われ、ファクシミリ通信の終了後に、通話状態のまま、音声通信が開始される場合の通信装置１ａの動作を示す。
【００４５】
まず、ＦＡＸ電話機２ａから呼を接続するための信号、例えば、発呼信号、ダイヤル信号又は呼出音等が送信されて、呼の接続が行われる（ステップＳ１２０１）。呼の接続が行われると、信号処理部６１、エコーキャンセラ部６２、パケット処理部６３及びゆらぎ吸収部６４は、音声信号・ＩＰパケット間変換処理の動作を開始する。信号処理部６１は、音声信号・ＩＰパケット間変換処理の動作を行う場合は、音声信号の送受信に最適となるようにレベルダイヤの設定等を行う。エコーキャンセラ部６２は、音声信号・ＩＰパケット間変換処理の動作を行う場合は、エコーの除去を行う。ゆらぎ吸収部６４は、音声信号・ＩＰパケット間変換処理を行う場合は、ＩＰパケットの蓄積及び一定間隔での送信を行う。
【００４６】
一方、ＦＡＸ／無音検出部８１は、呼の接続を検出すると（ステップＳ１２０２）、呼の接続を検出したことを、ＦＡＸ／音声判定部６６に通知する（ステップＳ１２０３）。ＦＡＸ／音声判定部６６は、呼の接続を検出したことの通知を受信すると、ＦＡＸ電話機２ａで送受信されている信号が音声信号であると判定する（ステップＳ１２０４）。
【００４７】
呼が接続された後で、ＦＡＸ電話機２ａでファクシミリ信号の受信が開始されて、ＣＥＤ信号が送信されたとする（ステップＳ１２０５）。ＦＡＸ／無音検出部８１は、ＣＥＤ信号を検出すると、ファクシミリ通信がＧ３モードであると判定して、無音検出判定時間をＧ３モードに対応した値に設定する。検出した信号がＣＥＤ信号である場合、ファクシミリ通信は、Ｇ３モードで行われることは明らかなので、タイマ８２及びＦＡＸ信号判定部８３は動作させない。そして、ＦＡＸ／無音検出部８１は、ＣＥＤ信号を検出したことを、ＦＡＸ／音声判定部６６に通知する（ステップＳ１２０６）。ＦＡＸ／音声判定部６６は、ＣＥＤ信号を検出したことの通知を受信すると、ＦＡＸ電話機２ａで送受信されている信号がファクシミリ信号であると判定して、判定結果を制御部６７に通知する（ステップＳ１２０７）。
【００４８】
ＦＡＸ電話機２ａは、ＣＥＤ信号を送信した後で、ファクシミリ信号の受信を行う（ステップＳ１２０８）。ＦＡＸ／無音検出部８１は、ファクシミリ信号の送受信が行われると、無音状態の監視を行う。ここで、ＦＡＸ電話機２ａで行われていたファクシミリ通信が終了して、無音状態になったとする。無音状態でＧ３モードに対応した無音検出判定時間が経過した場合、ＦＡＸ／無音検出部８１は、無音状態で無音検出判定時間が経過したことの通知をＦＡＸ／音声判定部６６に送信する（ステップＳ１２０９）。ＦＡＸ／音声判定部６６は、無音状態で無音検出判定時間が経過したことの通知を受信すると、ＦＡＸ電話機２ａで送受信されている信号が音声信号であると判定して、判定結果を制御部６７に通知する（ステップＳ１２１０）。
【００４９】
その後、ＦＡＸ電話機２ａでは、音声信号の送受信が行われる（ステップＳ１２１１）。音声信号の送受信が終了すると、呼の切断が行われる（ステップＳ１２１２）。
【００５０】
図１３に、ＦＡＸ電話機２ａでスーパーＧ３モードでのファクシミリ通信が行われ、ファクシミリ通信の終了後に、通話状態のまま、音声通信が開始される場合の通信装置１ａの動作を示す。
【００５１】
まず、ＦＡＸ電話機２ａから呼を接続するための信号、例えば、発呼信号、ダイヤル信号又は呼出音等が送信されて、呼の接続が行われる（ステップＳ１３０１）。呼の接続が行われると、信号処理部６１、エコーキャンセラ部６２、パケット処理部６３及びゆらぎ吸収部６４は、音声信号・ＩＰパケット間変換処理の動作を開始する。信号処理部６１は、音声信号・ＩＰパケット間変換処理の動作を行う場合は、音声信号の送受信に最適となるようにレベルダイヤの設定等を行う。エコーキャンセラ部６２は、音声信号・ＩＰパケット間変換処理の動作を行う場合は、エコーの除去を行う。ゆらぎ吸収部６４は、音声信号・ＩＰパケット間変換処理を行う場合は、ＩＰパケットの蓄積及び一定間隔での送信を行う。
【００５２】
一方、ＦＡＸ／無音検出部８１は、呼の接続を検出すると（ステップＳ１３０２）、呼の接続を検出したことを、ＦＡＸ／音声判定部６６に通知する（ステップＳ１３０３）。ＦＡＸ／音声判定部６６は、呼の接続を検出したことの通知を受信すると、ＦＡＸ電話機２ａで送受信されている信号が音声信号であると判定する（ステップＳ１３０４）。
【００５３】
呼が接続された後で、ＦＡＸ電話機２ａでファクシミリ信号の受信が開始されて、ＡＮＳａｍ信号が送信されたとする（ステップＳ１３０５）。ＦＡＸ／無音検出部８１は、ＡＮＳａｍ信号を検出すると、暫定的にファクシミリ通信がスーパーＧ３モードであると判定して、無音検出判定時間をスーパーＧ３モードに対応した値に設定する。但し、この時点では、対向側のＦＡＸ電話機２ｂがＧ３対応機であるかスーパーＧ３対応機であるかは判らないため、ファクシミリ通信がＧ３モードで行われるかスーパーＧ３モードで行われるかは確定していない。無音検出判定時間を設定した後で、ＦＡＸ／無音検出部８１は、ＡＮＳａｍ信号を検出したことを、ＦＡＸ／音声判定部６６及びタイマ８２に通知する（ステップＳ１３０６〜Ｓ１３０７）。ＦＡＸ／音声判定部６６は、ＡＮＳａｍ信号を検出したことの通知を受信すると、ＦＡＸ電話機２ａで送受信されている信号がファクシミリ信号であると判定して、判定結果を制御部６７に通知する（ステップＳ１３０８）。タイマ８２は、ＡＮＳａｍ信号を検出したことの通知を受信すると、その時刻を記録する。
【００５４】
ＦＡＸ電話機２ａは、ＡＮＳａｍ信号を送信した後で、ファクシミリ信号の受信を行う（ステップＳ１３０９）。ＦＡＸ／無音検出部８１は、ファクシミリ信号の送受信が行われると、無音状態の監視を行う。ここで、ＦＡＸ電話機２ａで行われていたファクシミリ通信が終了して、無音状態になったとする。無音状態でスーパーＧ３モードに対応した無音検出判定時間が経過した場合、ＦＡＸ／無音検出部８１は、無音状態で無音検出判定時間が経過したことの通知をタイマ８２に送信する（ステップＳ１３１０）。タイマ８２は、無音状態で無音検出判定時間が経過したことの通知を受けると、その時刻を記録する。そして、タイマ８２は、記録した時刻の差分ΔＴＭ、すなわち、ＦＡＸ／無音検出部８１がＡＮＳａｍ信号を検出した時刻と無音状態で無音検出判定時間が経過したことを検出した時刻の差分を算出する。タイマ８２は、差分ΔＴＭを算出すると、差分ΔＴＭをＦＡＸ信号判定部８３に送信する（ステップＳ１３１１）。
【００５５】
ＦＡＸ信号判定部８３は、差分ΔＴＭを受信すると、差分ΔＴＭに基づいて、ファクシミリ通信がＧ３モードで行われているかスーパーＧ３モードで行われているかの判定を行う。ファクシミリ通信がＧ３モードで行われた場合は、ＡＮＳａｍ信号が検出されてから無音状態が検出されるまでの時間が、スーパーＧ３モードでの通信の場合よりも短い。それ故、ＦＡＸ信号判定部８３は、差分ΔＴＭが、所定のＦＡＸ信号判定閾値よりも小さい場合は、ファクシミリ通信がＧ３モードであると判定する。また、差分ΔＴＭが、所定のＦＡＸ信号判定閾値以上である場合は、ファクシミリ通信がスーパーＧ３モードであると判定する。ここでは、差分ΔＴＭが、所定のＦＡＸ信号判定閾値以上であり、ファクシミリ通信がスーパーＧ３モードであると判定されたとする。ＦＡＸ信号判定部８３は、ファクシミリ通信がスーパーＧ３モードであると判定すると、無音状態で無音検出判定時間が経過したことの通知をＦＡＸ／音声判定部６６に送信する（ステップＳ１３１２）。
【００５６】
ＦＡＸ／音声判定部６６は、無音状態で無音検出判定時間が経過したことの通知を受信すると、ＦＡＸ電話機２ａで送受信されている信号が音声信号であると判定して、判定結果を制御部６７に通知する（ステップＳ１３１３）。その後、ＦＡＸ電話機２ａでは、音声信号の送受信が行われる（ステップＳ１３１４）。音声信号の送受信が終了すると、呼の切断が行われる（ステップＳ１３１５）。
【００５７】
図１４に、ＦＡＸ電話機２ａでＡＮＳａｍ信号を送信した後にＧ３モードでファクシミリ通信が行われ、ファクシミリ通信の終了後に、通話状態のまま、音声通信が開始される場合の通信装置１ａの動作を示す。
【００５８】
まず、ＦＡＸ電話機２ａから呼を接続するための信号、例えば、発呼信号、ダイヤル信号又は呼出音等が送信されて、呼の接続が行われる（ステップＳ１４０１）。呼の接続が行われると、信号処理部６１、エコーキャンセラ部６２、パケット処理部６３及びゆらぎ吸収部６４は、音声信号・ＩＰパケット間変換処理の動作を開始する。信号処理部６１は、音声信号・ＩＰパケット間変換処理の動作を行う場合は、音声信号の送受信に最適となるようにレベルダイヤの設定等を行う。エコーキャンセラ部６２は、音声信号・ＩＰパケット間変換処理の動作を行う場合は、エコーの除去を行う。ゆらぎ吸収部６４は、音声信号・ＩＰパケット間変換処理を行う場合は、ＩＰパケットの蓄積及び一定間隔での送信を行う。
【００５９】
一方、ＦＡＸ／無音検出部８１は、呼の接続を検出すると（ステップＳ１４０２）、呼の接続を検出したことを、ＦＡＸ／音声判定部６６に通知する（ステップＳ１４０３）。ＦＡＸ／音声判定部６６は、呼の接続を検出したことの通知を受信すると、ＦＡＸ電話機２ａで送受信されている信号が音声信号であると判定する（ステップＳ１４０４）。
【００６０】
呼が接続された後で、ＦＡＸ電話機２ａでファクシミリ信号の受信が開始されて、ＡＮＳａｍ信号が送信されたとする（ステップＳ１４０５）。ＦＡＸ／無音検出部８１は、ＡＮＳａｍ信号を検出すると、暫定的にファクシミリ通信がスーパーＧ３モードであると判定して、無音検出判定時間をスーパーＧ３モードに対応した値に設定する。但し、この時点では、対向側のＦＡＸ電話機２ｂがＧ３対応機であるかスーパーＧ３対応機であるかは判らないため、ファクシミリ通信がＧ３モードで行われるかスーパーＧ３モードで行われるかは確定していない。無音検出判定時間を設定した後で、ＦＡＸ／無音検出部８１は、ＡＮＳａｍ信号を検出したことを、ＦＡＸ／音声判定部６６及びタイマ８２に通知する（ステップＳ１４０６〜Ｓ１４０７）。ＦＡＸ／音声判定部６６は、ＡＮＳａｍ信号を検出したことの通知を受信すると、ＦＡＸ電話機２ａで送受信されている信号がファクシミリ信号であると判定して、判定結果を制御部６７に通知する（ステップＳ１４０８）。タイマ８２は、ＡＮＳａｍ信号を検出したことの通知を受信すると、その時刻を記録する。
【００６１】
ＦＡＸ電話機２ａは、ＡＮＳａｍ信号を送信した後で、ファクシミリ信号の受信を行う（ステップＳ１４０９）。ＦＡＸ／無音検出部８１は、ファクシミリ信号の送受信が行われると、無音状態の監視を行う。ここで、無音状態でスーパーＧ３モードに対応した無音検出判定時間が経過したとする。無音状態でスーパーＧ３モードに対応した無音検出判定時間が経過した場合、ＦＡＸ／無音検出部８１は、無音状態で無音検出判定時間が経過したことの通知をタイマ８２に送信する（ステップＳ１４１０）。タイマ８２は、無音状態で無音検出判定時間が経過したことの通知を受けると、その時刻を記録する。そして、タイマ８２は、記録した時刻の差分ΔＴＭを算出する。タイマ８２は、差分ΔＴＭを算出すると、差分ΔＴＭをＦＡＸ信号判定部８３に送信する（ステップＳ１４１１）。
【００６２】
ＦＡＸ信号判定部８３は、差分ΔＴＭを受信すると、差分ΔＴＭに基づいて、ファクシミリ通信がＧ３モードで行われているかスーパーＧ３モードで行われているかの判定を行う。ここでは、差分ΔＴＭが、所定のＦＡＸ信号判定閾値より小さい値であり、ファクシミリ通信がＧ３モードで行われていると判定されたとする。ＦＡＸ信号判定部８３は、ファクシミリ通信がＧ３モードであると判定すると、無音検出判定時間をＧ３モードに対応した値に変更するように時間変更指示を、ＦＡＸ／無音検出部８１に送信する（ステップＳ１４１２）。
【００６３】
ＦＡＸ／無音検出部８１は、時間変更指示を受信すると、無音検出判定時間をＧ３モードに対応した値に変更する。そして、ＦＡＸ／無音検出部８１は、無音状態の監視を継続して行う。ここで、ＦＡＸ電話機２ａで行われていたファクシミリ通信が終了して、無音状態になったとする。無音状態でＧ３モードに対応した無音検出判定時間が経過した場合、ＦＡＸ／無音検出部８１は、無音状態で無音検出判定時間が経過したことの通知をＦＡＸ／音声判定部６６に送信する（ステップＳ１４１３）。
【００６４】
ＦＡＸ／音声判定部６６は、無音状態で無音検出判定時間が経過したことの通知を受信すると、ＦＡＸ電話機２ａで送受信されている信号が音声信号であると判定して、判定結果を制御部６７に通知する（ステップＳ１４１４）。その後、ＦＡＸ電話機２ａでは、音声信号の送受信が行われる（ステップＳ１４１５）。音声信号の送受信が終了すると、呼の切断が行われる（ステップＳ１４１６）。
【００６５】
尚、ＦＡＸ信号判定閾値の値を決定する方法としては、複数の種類のスーパーＧ３モードのＦＡＸ電話機と、Ｇ３モードのＦＡＸ電話機を組み合わせて、ＡＮＳａｍ信号が検出されてから無音状態が検出されるまでの時間を測定して、その測定結果から最適な値を決定する方法等を用いることが出来る。
【００６６】
このように、第３の実施例の通信装置によれば、ファクシミリ通信から音声通信に切り替わる際の一定時間の無音状態を検出することにより、ファクシミリ通信が終了して音声通信に切り替わったと判定している。それ故、ファクシミリ通信の終了後に通話状態を維持したまま音声通信に切り替わった場合でも、ファクシミリ通信が終了したことを判定することが出来る。ファクシミリ通信の終了を正しく判定することが出来るため、ファクシミリ通信の終了後に通話状態を維持したまま音声通信に切り替わった場合でも、ゆらぎ吸収やエコーキャンセラなどの動作を開始することが出来、音声の品質を向上させることが出来る。
【００６７】
また、第３の実施例の通信装置は、ＡＮＳａｍ信号が検出されてから無音状態が検出されるまでの時間に基づいて、ファクシミリ通信がＧ３モードで行われているかスーパーＧ３モードで行われているかの判定を行っている。それ故、ファクシミリ通信がＧ３モードであるかスーパーＧ３モードであるかを正しく判定することが出来る。
【００６８】
例えば、送信側のＦＡＸ電話機がＧ３モード対応機種であり、受信側のＦＡＸ電話機がスーパーＧ３モード対応機種であるとする。この場合、実際に送信されるファクシミリ信号はＧ３モードであるが、ファクシミリ通信の開始時には、受信側のＦＡＸ電話機はＡＮＳａｍ信号を送信する。それ故、単に受信側の端末装置が送信する信号に基づいて、ファクシミリ信号がＧ３モードであるかスーパーＧ３モードであるかの判定を行う場合、ファクシミリ信号がスーパーＧ３モードであると誤って判定される。誤ってスーパーＧ３モードであると判定されると、無音検出判定時間もスーパーＧ３モードに対応した値に設定される。しかし、送信側のＦＡＸ電話機がＧ３モードなので実際に送信されるファクシミリ信号は、Ｇ３モードである。それ故、ファクシミリ通信の途中で、無音状態を検出して、ファクシミリ通信が終了したと判定してしまう。ファクシミリ通信が終了したと判定すると、ゆらぎ吸収やエコーキャンセラなどの動作が開始されるので、ファクシミリ通信が失敗してしまう場合が生じる。
【００６９】
このとき、回線のＳ／Ｎ比と帯域に基づいて、ファクシミリ通信がＧ３モードであるかスーパーＧ３モードであるかの判定する方法では、新たに専用の検出回路を用意する必要があり、回路構成や処理量が大きくなってしまう。
【００７０】
本発明の第３の実施例の通信装置では、ＡＮＳａｍ信号が検出されてから無音状態が検出されるまでの時間に基づいて、ファクシミリ通信がＧ３モードであるかスーパーＧ３モードであるかの判定を行っている。それ故、ファクシミリ通信の終了を正しく判定することが出来る。
【００７１】
上記説明したように、本発明の通信装置によれば、端末装置において送受信されている信号がファクシミリ信号であるか音声信号であるかを判定して、ファクシミリ信号・ＩＰパケット間変換処理及び音声信号・ＩＰパケット間変換処理のいずれか一方の変換処理を行っている。それ故、ファクシミリ通信の終了を正しく判定することが出来、ファクシミリ通信の終了後に通話状態を維持したまま音声通信に切り替わった場合でも、ゆらぎ吸収やエコーキャンセラなどの動作を開始して音声の品質を向上させることが出来る。
【図面の簡単な説明】
【００７２】
【図１】本発明の第１の実施例である通信装置を用いた通信システムを示すブロック図である。
【図２】図１の通信装置を示すブロック図である。
【図３】図１の通信装置の音声／ＦＡＸ通信処理部を示すブロック図である。
【図４】図１の通信装置の動作を示すシーケンス図である。
【図５】本発明の第２の実施例である通信装置を用いた通信システムを示すブロック図である。
【図６】図５の通信装置を示すブロック図である。
【図７】図５の通信装置の音声／ＦＡＸ通信処理部を示すブロック図である。
【図８】図５の通信装置の動作を示すシーケンス図である。
【図９】本発明の第３の実施例である通信装置を用いた通信システムを示すブロック図である。
【図１０】図９の通信装置を示すブロック図である。
【図１１】図９の通信装置の音声／ＦＡＸ通信処理部を示すブロック図である。
【図１２】図９の通信装置の動作を示すシーケンス図である。
【図１３】図９の通信装置の動作を示すシーケンス図である。
【図１４】図９の通信装置の動作を示すシーケンス図である。
【符号の説明】
【００７３】
１ａ及び１ｂ  通信装置
２ａ及び２ｂ  ＦＡＸ電話機
３  ＩＰネットワーク
４  ＴＥＬ／ＦＡＸインターフェース部
５  Ａ／Ｄ・Ｄ／Ａ変換部
６  音声／ＦＡＸ通信処理部
７  ネットワークインターフェース部
６１  信号処理部
６２  エコーキャンセラ部
６３  パケット処理部
６４  ゆらぎ吸収部
６５  ＦＡＸ／無音検出部
６６  ＦＡＸ／音声判定部
６７  制御部
６８  信号成分検出部
８１  ＦＡＸ／無音検出部
８２  タイマ
８３  ＦＡＸ信号判定部
【図１】
0004613945.tif 000002
【図２】
0004613945.tif 000003
【図３】
0004613945.tif 000004
【図４】
0004613945.tif 000005
【図５】
0004613945.tif 000006
【図６】
0004613945.tif 000007
【図７】
0004613945.tif 000008
【図８】
0004613945.tif 000009
【図９】
0004613945.tif 000010
【図１０】
0004613945.tif 000011
【図１１】
0004613945.tif 000012
【図１２】
0004613945.tif 000013
【図１３】
0004613945.tif 000014
【図１４】
0004613945.tif 000015